(57)【要約】  電動工具の電源として用いられるバッテリパックを充電するための充電器であって、特に複数のバッテリパックを一度に充電できる多口タイプの充電器の場合、壁掛け状態で設置したり、肩に掛けて持ち運ぶための機能については考慮されていなかった。本発明では、充電器の耐久性、コンパクト性を損なうことなく、これらの機能を併せ持たせることを目的とする。  本体ハウジング（２０）の背面に左右一対の固定孔（３０，３０）と、ストラップ取り付け孔（３１，３１）を、平面視側面領域Ｓからはみ出さない位置に設ける。左右それぞれにおいて、固定孔（３０）の上方に上凹部（２５）の底縁部（２５ａ）を覆い被さるように設け、この底縁部（２５ｓ）にストラップ取り付け孔（３１，３１）を同軸に設けて、その耐久性及びコンパクト性を確保する。
2013190955.tif 000002
【特許請求の範囲】
【請求項１】
本体ハウジングの底面を壁面に沿わせた壁掛け姿勢で設置可能で、該壁掛け姿勢において、バッテリパックを下方へスライドさせて取り付け、上方へスライドさせて取り外し可能とするバッテリ取り付け部を備えた充電器であって、
前記壁面に対して凹凸係合して前記本体ハウジングの前記壁面に対する前記バッテリパックの取り外し方向への相対変位を規制する規制部材を備えた充電器。
【請求項２】
請求項１記載の充電器であって、前記本体ハウジングは前記壁面に沿った接合面で、前記壁面側の下分割ハウジングと、前記バッテリパック取り付け部を有する上分割ハウジングとが相互に突き合わされた２分割構造を備えており、前記下分割ハウジングに、前記本体ハウジングの平面視側面領域から内方へ凹んだ下凹部を設け、該下凹部の底縁部に、前記本体ハウジングを前記壁面に対してねじ止めするための固定孔が設けられており、該ねじ止め用の固定ねじを前記規制部材として機能させる構成とした充電器。
【請求項３】
請求項２記載の充電器であって、前記上分割ハウジングに、前記下凹部と平面視で同じ位置に上凹部を設けて、前記固定孔の上方に該上凹部の底縁部を位置させた充電器。
【請求項４】
請求項３記載の充電器であって、前記上凹部の底縁部に前記固定孔と同軸の貫通孔を設けた充電器。
【請求項５】
請求項４記載の充電器であって、前記貫通孔を肩掛け用ストラップを取り付けるためのストラップ取り付け孔として機能させる構成とした充電器。
【請求項６】
請求項１記載の充電器であって、前記底面の四隅に壁掛け設置用の引き掛け部と規制部を備えており、上側左右一対の引き掛け部に引き掛け凹部を備え、該引き掛け凹部に、前記壁面側に設けた引き掛け凸部を引き掛けて前記本体ハウジングの前記壁面に対する下方への変位、左右方向への変位及び前記壁面から離脱する方向の変位を規制するとともに、前記下側左右一対の規制部を、前記壁面側に設けた係合凸部の下側に位置させて該係合凸部を前記規制部材として機能させる構成とした充電器。
【請求項７】
請求項６記載の充電器であって、前記下側の規制部についてその上面を壁面に対して直角に設け、若しくは先端側ほど上方へ変位する鋭角方向に傾斜させて設けた充電器。
【発明の詳細な説明】
【技術分野】
【０００１】
この発明は、例えば充電式のねじ締め機等の電動工具の電源として用いるバッテリパック（二次電池）を充電するための充電器に関する。
【背景技術】
【０００２】
この種のバッテリパックは、工具本体から取り外して別途用意した充電器で充電することにより繰り返し使用することができる。この充電器については、その機能を向上させ、あるいは使い勝手を高めるために従来より様々な工夫が施されている。例えば、下記の特許文献には、当該充電器を壁掛け式とした場合におけるバッテリパックの取り付け、取り外し時の使い勝手を高めるための技術が開示されている。
【先行技術文献】
【特許文献】
【０００３】
【特許文献１】特開２００９−２９６７２４号公報
【発明の概要】
【発明が解決しようとする課題】
【０００４】
しかしながら、上記従来の壁掛け構造についても次のような点で一層改善を施す必要があった。上記従来の壁掛け構造では、充電器の底面に、いわゆるだるま孔を設け、壁側に設けた突起部をこのだるま孔に引き掛けて吊り下げ状態で充電器を壁掛け状態に保持する構成となっていた。このため、例えば当該充電器に人が不用意に触れる等した場合に位置ずれし、大きく位置ずれした場合にはだるま孔から突起部が外れるおそれがある等当該充電器の壁掛け状態が安定しない問題があった。
本発明では、人が不用意に触れる等した場合でも位置ずれせず、より安定した状態で充電器を壁に掛けておくことができるようにする。
【課題を解決するための手段】
【０００５】
上記の課題は、下記の発明によって解決される。
第１の発明は、本体ハウジングの底面を壁面に沿わせた壁掛け姿勢で設置可能で、この壁掛け姿勢において、バッテリパックを下方へスライドさせて取り付け、上方へスライドさせて取り外し可能とするバッテリ取り付け部を備えた充電器である、本体ハウジングは、壁面に対して凹凸係合して壁面に対するバッテリパックの取り外し方向への相対変位を規制する規制部材を備えている。
第１の発明によれば、壁掛け設置状態において、当該充電器が規制部によりバッテリ取り外し方向の相対変位（上方への相対変位）が規制された状態となる。このため、バッテリパックをバッテリ取り付け部から上方へスライドさせて取り外す際に、使用者は当該充電器が上方へ位置ずれしないよう押さえ付けておく必要はなく、片手でバッテリパックを把持して上方へスライドさせることにより簡単に取り外すことができる。これにより、使用者は一方の手に工具を持ったまま、他方の手で充電済みのバッテリパックを充電器から取り外すことができ、この点で当該充電器の使い勝手（操作性）を高めることができる。
第２の発明は、第１の発明において、本体ハウジングは壁面に沿った接合面で、壁面側の下分割ハウジングと、バッテリパック取り付け部を有する上分割ハウジングとが相互に突き合わされた２分割構造を備えており、下分割ハウジングに、本体ハウジングの平面視側面領域から内方へ凹んだ下凹部を設け、下凹部の底縁部に、本体ハウジングを壁面に対してねじ止めするための固定孔が設けられており、ねじ止め用の固定ねじを規制部材として機能させる構成とした充電器である。
第２の発明によれば、固定孔を介して本体ハウジングをねじ止めする構成であるので、単にだるま孔を用いた引き掛け状態よりも安定した壁掛け姿勢で設置することができる。
しかも、本体ハウジングの平面視側面領域からはみ出さない位置に設けた底縁部に固定孔が設けられた構成であるので、当該充電器を落下させた場合等であってもこの底縁部の損傷を未然に防止することができ、これにより当該底縁部の薄肉化を図って必要な固定ねじの長さを短くしつつ、当該本体ハウジングの耐久性を高めることができる。
また、下分割ハウジング側の固定孔を介してねじ止めする構成であるので、仮に上分割ハウジング側の固定孔を介してねじ止めする構成に比して固定ねじの長さを短くすることができる。
第３の発明は、第２の発明において、上分割ハウジングに、下凹部と平面視で同じ位置に上凹部を設けて、固定孔の上方にこの上凹部の底縁部を位置させた充電器である。
第３の発明によれば、固定孔が設けられた下凹部の底縁部の上方に上凹部の底縁部が覆い被さるように配置されていることから、この点でも下凹部の底縁部について損傷を受けにくい構成とすることができる。
第４の発明は、第３の発明において、上凹部の底縁部に固定孔と同軸の貫通孔を設けた充電器である。
第４の発明によれば、上凹部側の貫通孔を、ドライバ（ねじ回し）を挿通させる作業孔として用いることにより固定孔に固定ねじを締め込むことが容易になる。
また、上分割ハウジングと下分割ハウジングに分けて固定孔と貫通孔が設けられた構成であるので、これを樹脂成形により製作する場合に、成形金型の簡素化を図ることができる。
第５の発明は、第４の発明において、貫通孔を肩掛け用ストラップを取り付けるためのストラップ取り付け孔として機能させる構成とした充電器である。
第５の発明によれば、当該充電器を肩に掛けて持ち運ぶことができ、上凹部の底縁部に設けた貫通孔の機能を高めることができる。また、肩掛け用ストラップの取り付け孔と壁掛け固定用の固定孔が何れも平面視側面領域からはみ出さない位置に設けられていることがら、それぞれの強度を確保しつつ本体ハウジングひいては充電器の小型化を図ることができる。
第６の発明は、第１の発明において、底面の四隅に壁掛け設置用の引き掛け部と規制部を備えており、上側左右一対の引き掛け部に引き掛け凹部を備え、引き掛け凹部に、壁面側に設けた引き掛け凸部を引き掛けて本体ハウジングの壁面に対する下方への変位、左右方向への変位及び壁面から離脱する方向の変位を規制するとともに、下側左右一対の規制部を、壁面側に設けた係合凸部の下側に位置させて係合凸部を規制部材として機能させる構成とした充電器である。
第６の発明によれば、充電器は、上下両方向（バッテリパックの取り付け、取り外し方向）の位置ずれが規制された状態で壁面に設置された状態となる。このことから、壁掛け状態の充電器のバッテリ取り付け部に対してバッテリパックを下方へ向けてスライドさせて取り付ける場合に、使用者は充電器が下方へ変位しないよう手で押さえ付けておく必要はなく、片手でバッテリパックを把持してスライドさせればバッテリ取り付け部に対して迅速かつ簡単に取り付けることができる。逆に、バッテリ取り付け部からバッテリパックを取り外す際にも、使用者は一方の手でバッテリパックを把持して上方へスライドさせれば足り、他方の手で充電器自体を変位しないよう押さえ付けておく必要がない。
このように、使用者は充電器を移動しないよう押さえ付けておく必要がなく、片手でバッテリパックを把持して上下にスライドさせれば当該バッテリパックをバッテリ取り付け部に対して取り付け、取り外しすることができることから当該充電器の使い勝手（操作性）を高めることができる。
また、充電器の上下左右方向及び壁面から離脱する方向の変位が規制されることから、人が不用意に触れる等した場合であっても位置ずれが確実に防止される。
第７の発明は、第６の発明において、下側の規制部についてその上面を壁面に対して直角に設け、若しくは先端側ほど上方へ変位する鋭角方向に傾斜させて設けた充電器である。
第７の発明によれば、係合凸部に対する規制部の上方への係合状態が確実に維持されて当該充電器の取り外し方向への変位が規制され、これにより当該充電器の使い勝手をより確実に高めることができる。
【図面の簡単な説明】
【０００６】
【図１】本実施形態に係る充電器を、右斜め上方から見た全体斜視図である。
【図２】本実施形態に係る充電器を、図１中矢印(II)方向であって背面側を左斜め上方から見た全体斜視図である。
【図３】本実施形態に係る充電器を、図１中矢印(III)方向であって背面側を右斜め上方から見た全体斜視図である。
【図４】本実施形態に係る充電器を、図１中矢印(IV)方向であって背面側を斜め上方から見た全体斜視図である。
【図５】本実施形態に係る充電器の全体平面図である。
【図６】スライド取り付けタイプのバッテリパックの斜視図である。
【図７】充電式電気カンナの全体斜視図である。
【図８】本実施形態に係る充電器の平面視側面領域を示す平面図である。
【図９】本体ハウジングの背面側右端部であって凹部の斜視図である。
【図１０】本実施形態に係る充電器を上下反転させて底面側を上方へ向けた状態の斜視図である。
【図１１】壁掛け状態に設置した充電器を右側面側から見た概略図である。
【図１２】肩掛け用のストラップを取り付けた状態の充電器の平面図である。
【図１３】本実施形態に係る充電器を、右斜め上方から見た全体斜視図である。本図では、左端の第１バッテリ取り付け部における端子カバーが分解された状態で示されている。
【図１４】本実施形態の充電器の上分割ハウジングを取り外した状態であって、下分割ハウジングを、右斜め上方から見た斜視図である。
【図１５】本実施形態の充電器の上分割ハウジングを取り外した状態であって、下分割ハウジングの平面図である。
【図１６】図１５の(XVI)-(XVI)線断面矢視図であって、下分割ハウジングの長手方向の縦断面図である。
【図１７】図５の(XVII)-(XVII)線断面矢視図である。本図は、充電器の縦断面図であって、第１動作表示部の縦断面図である。
【図１８】上分割ハウジングの平面図である。本図は、第１〜第４バッテリ取り付け部の端子カバーが取り外された分解状態であって、上分割ハウジングの部品としての単品状態を示している。
【図１９】バッテリ取り付け部から取り外した状態の端子カバーを下面側から見た斜視図である。本図では、圧縮ばねが仮止めされたアッセンブリ状態の端子カバーが示されている。
【図２０】端子カバーの組み付け手順を示す図であり、第１バッテリ取り付け部の縦断面図である。本図は、端子カバーが第１バッテリ取り付け部のカバー支持台座部に組み付けられる直前の状態を示している。
【図２１】端子カバーの組み付け手順を示す図であり、第１バッテリ取り付け部の縦断面図である。本図は、端子カバーの支持ボス部が溝孔内に挿入され始めた状態を示している。
【図２２】端子カバーの組み付け手順を示す図であり、第１バッテリ取り付け部の縦断面図である。本図は、圧縮ばねの前部が端子カバーの仮止めリブから上分割ハウジングのばね受けリブに受け渡される途中の状態を示している。
【図２３】端子カバーの組み付け手順を示す図であり、第１バッテリ取り付け部の縦断面図である。本図は、圧縮ばねの前部が上分割ハウジングのばね受けリブに完全に受け渡され、かつ固定ねじが完全に締め付けられた組み付け完了状態を示している。
【図２４】図１６の(XXIV)-(XXIV)線断面矢視図であって、充電器の正面側を下向きにして立てた状態の縦断面図である。
【図２５】充電器の壁掛け構造に関して第２実施形態を示す図である。本図は、充電器の縦断面図である。本図は、下側の脚部を壁面から浮き上がらせて上側の脚部に引き掛け凸部に挿入した状態を示している。
【図２６】充電器の壁掛け構造に関して第２実施形態を示す図である。本図は、充電器の縦断面図である。本図は、充電器を下側に変位させて上側の脚部に引き掛け凸部を引き掛けた状態を示している。
【図２７】充電器の壁掛け構造に関して第２実施形態を示す図である。本図は、充電器の縦断面図である。本図は、下側の脚部を壁面に当接させた壁掛け状態を示している。
【発明を実施するための形態】
【０００７】
次に、本発明の実施形態を図面に基づいて説明する。図１〜図５に示すように、本実施形態では、４個のバッテリパックＢ〜Ｂを一度に取り付けて充電できる４口タイプの充電器１０を例示する。この充電器１０では、図６に示すバッテリパックＢ（二次電池）を充電することができる。
このバッテリパックＢは、バッテリケースＢａ内に複数本のバッテリセルＢｂ〜Ｂｂを内装したスライド取り付けタイプのリチウムイオンバッテリで、図７に示すように電気カンナ等の充電式電動工具Ｔの電源として用いられる。このバッテリパックＢは、充電式電動工具Ｔの後部に設けたバッテリ取り付け部Ｔａに対して下向きにスライドさせることにより取り付け、上向きにスライドさせることにより取り外すことができる。バッテリパックＢのバッテリ取り付け部Ｔａからの取り外しは、その上面に設けたロック解除レバーＢｃを指先でスライドさせてバッテリ取り付け部Ｔａに対する係合状態を解除することによりなされる。
図６に示すようにバッテリパックＢの取り付け面（図６において下面）には、スライド取り付け用の左右一対のスライドレールＢｄ，Ｂｄが設けられている。両スライドレールＢｄ，Ｂｄ間に、正負の接続端子部Ｂｆ，Ｂｆ及び充電器や工具との通信用コネクタＢｅが配置されている。
図１に示すように充電器１０の上面には、４口のバッテリ取り付け部１１〜１４が左右方向に並列配置されている。各バッテリ取り付け部１１〜１４には、左右一対の受けレール部１１ａ，１１ａ〜１４ａ，１４ａが設けられている。左右の受けレール部１１ａ，１１ａ〜１４ａ，１４ａに対してスライドレールＢｄ，Ｂｄを係合させた状態で、バッテリパックＢを各バッテリ取り付け部１１〜１４に対して背面側から正面側へスライドさせれば当該バッテリパックＢを取り付けることができ、逆方向にスライドさせれば取り外すことができる。各バッテリ取り付け部１１〜１４の詳細については後述する。
【０００８】
本実施形態の４口タイプの充電器１０には様々な工夫がなされている。以下、順に説明する。先ず、この充電器１０は、図５に示すように平面的に見て矩形の本体ハウジング２０を備えている。また、この本体ハウジング２０は、図１〜図４に示すようにその高さ方向に２分割されて上側の上分割ハウジング２１と下側の下分割ハウジング２２を相互に突き合わせた２分割構造を備えている。図では、上分割ハウジング２１と下分割ハウジング２２との突き合わせ面（接合面）に符号Ｊが付されている。
この本体ハウジング２０の背面側の右端部には、角部が欠落されて背面と右側面の双方に対して凹んだ平面的に見て概ね矩形の凹部２３が設けられている。この凹部２３は、当該充電器１０が平面視で示された図５及び図８に示すように、本体ハウジング２０の正面２０Ｆと背面２０Ｂと右側面２０Ｒ及び左側面２０Ｌの各側面上の最も張り出した部位を通る線（包絡線、本実施形態では接合面Ｊの周囲を通る線）で囲まれた平面視側面領域Ｓを考えたときに、当該平面視側面領域Ｓの内側に設けられている。図２〜図４及び図９に示すようにこの凹部２３は、当該本体ハウジング２０の高さ方向の全領域（全高Ｈ）にわたって設けられている。このため、凹部２３は、後方及び右側方のみならず、上方及び下方に向けて開放された状態に設けられている。この凹部２３内から電源コード２４が引き出されている。電源コード２４は、この凹部２３内から後方、右側方の何れにも引き出すことができ、さらに図９に示すように上方及び下方へも引き出すことができる。
このように本体ハウジング２０の平面視側面領域Ｓよりも内側に凹んだ凹部２３内から電源コード２４が引き出されているため、当該充電器１０をその背面を壁に当接させて設置する場合、あるいは右側面を壁に当接させて設置する場合のいずれであっても、電源コード２４が邪魔になることなく、背面若しくは右側面をぴたりと壁に当接させて設置することができる。また、充電器１０をその背面及び右側面の双方を同時に壁のコーナー部に当接させて設置する場合であっても、図９に示すように電源コード２４を凹部２３から上方又は下方へ引き出すことができるので、この場合であっても電源コード２４が邪魔になることなく、当該充電器１０を壁のコーナー部にぴたりと当接させて設置することができる。
さらに、図９のみに示したが、本体ハウジング２０の右側面には、電源コード２４を留めておくためのコード保持部３２が設けられている。このコード保持部３２は平面視側面領域Ｓよりも内側に凹んだ状態に設けれている。このコード保持部３２の中央には、引き掛け爪部３２ａが設けられている。図中二点鎖線で示すように電源コード２４の差し込みプラグ２４ａ付近をこのコード保持部３２内に差し込んで引き掛け爪部３２ａに引き掛けておくことにより差し込みプラグ２４ａを本体ハウジング２０の右側部に保持しておくことができる。このため、当該充電器１０を持ち運ぶ場合等に電源コード２４をぶらつかせることなく本体ハウジング２０の右側部に差し込みプラグ２４ａを保持した状態で持ち運ぶことができ、次回使用時に差し込みプラグ２４ａ迅速にコンセントに差し込み接続することができる。
【０００９】
以上の構成によれば、本体ハウジング２０の背面右側角部には高さ方向全域にわたる凹部２３が設けられている。この凹部２３は、本体ハウジング２０の平面視側面領域Ｓの背面右側角部を欠落させてその内側に矩形に凹んだ状態で設けられている。この凹部２３は、背面側及び右側方の少なくとも２方向（本実施形態では上下方向を含めた４方向）に開放された状態で設けられている。この凹部２３内から電源コード２４が引き出されている。
このため、電源コード２４は、凹部２３内から背面側と右側方の少なくとも２方向（本実施形態では上方及び下方を含めた４方向）に引き出して配線することができる。このことから、電源コード２４が邪魔になることなく例えば本体ハウジング２０の背面を壁面にぴたりと当接させた状態、あるいは右側面を壁面にぴたりと当接させた状態で当該充電器１０を設置することができる。
壁面に隙間をあけることなく本体ハウジング２０をぴたりと当接させた状態で充電器１０を設置する場合にも電源コード２４が邪魔にならないので、当該充電器１０の設置スペースのコンパクト化を図ることができる（狭いスペースでも設置することができる）。
また、例示した凹部２３は、本体ハウジング２０の高さ方向全領域にわたって形成されていることから、当該本体ハウジング２０の平面視側面領域Ｓからはみ出すことなく電源コード２４を上方若しくは下方（底面２７側）に引き出してコンセントに接続することができる。このため、電源コード２４が邪魔になることなく、本体ハウジング２０の背面及び右側面の双方を壁面のコーナー部にぴたりと当接させた状態で当該充電器１０を設置することができ、この点でも当該充電器１０の設置スペースについて一層コンパクト化を図ることができ、また当該充電器１０の使い勝手を一層高めることができる。
【００１０】
以上の構成には種々変更を加えることができる。例えば、凹部２３を設ける位置について、例示した背面右側角部に代えて背面左角部に設ける構成としてもよく、あるいは角部に限らず左右側面中央若しくは背面中央に凹部を設ける構成としてもよい。何れの構成であっても、本体ハウジング２０の前後左右４側面の何れを壁面に当接させて設置する場合でも電源コードが邪魔になることがないので、壁面に隙間なくぴたりと当接させた状態で設置することができる。
また、矩形に凹んだ凹部２３を例示したが、本体ハウジング（平面視側面領域Ｓ）の相互に直交する２側面に対して傾斜する角部面取り形の凹部に変更してもよい。
また、本体ハウジング２０の高さ方向全領域にわたる凹部２３を例示したが、高さ方向については一方（上方または下方の一方）にのみ開放される凹部であってもよい。例えば、下分割ハウジング２２についてのみ平面視側面領域Ｓの内側に凹部を設け、この凹部から電源コードを引き出す構成としてもよい。この場合、凹部の上方は、上分割ハウジングの角部で塞がれた状態となるが、当該角部を壁面コーナー部に当接させた場合にも電源コードを底面側に取り回して接続することができるので、同様に設置スペースのコンパクト化を図ることができる。
【００１１】
以上の構成は、以下の第１〜第４関連発明として把握することができる。
第１の関連発明は、本体ハウジングの側部に、本体ハウジングの平面視側面領域の内側に凹む凹部を設け、この凹部から電源コードが引き出された充電器であって、凹部は、相互に異なる少なくとも２方向に開放されており、電源コードの平面側面領域からの引き出し方向を少なくとも２方向の何れかに変更可能な構成とした充電器である。
第１の関連発明によれば、電源コードは凹部から引き出されているため、２側面の何れか一方を壁に隙間なく当接させて（壁際に）設置する場合に電源コードを他方の側面側に引き出すことができる。このことから、電源コードが邪魔になることなく、当該一方の側面を壁にぴたりと当接させて当該充電器を壁際に設置することができる。
また、電源コードが邪魔になることなく壁に当接させた状態に設置できるので、当該充電器の設置スペースのコンパクト化を図ることができる。
第２の関連発明は、第１の関連発明において、凹部が本体ハウジングの相互に交差する２側面の角部に設けられた充電器である。
第２の関連発明によれば、相互に交差する２側面であって例えば背面と右側面との交差部（角部）に凹部が設けられているので、電気コードを後方若しくは右側方の何れであっても引き出すことができる。このため、本体ハウジングの背面を壁面に当接させた状態に設置する場合には、電源コードを凹部から右側方へ引き出すことができ、右側面を壁面に当接させた状態に設置する場合には、電源コードを凹部から後方へ引き出すことができ、何れの場合であっても電源コードが邪魔になることなく本体ハウジングを壁面に当接させて設置することができる。
第３の関連発明は、第１又は第２の関連発明において、凹部は本体ハウジングの高さ方向上方へ開放された充電器である。
第３の関連発明によれば、電源コードを凹部から上方へ引き出すことができる。このため、電源コードが邪魔になることなく当該充電器を壁のコーナー部にぴたりと当接させた状態であって、例えば本体ハウジングの背面と右側面を壁面に当接させた状態に設置することができる。
第４の関連発明は、第１〜第３の何れか一つの関連発明において、凹部は本体ハウジングの高さ方向の全領域にわたって設けられて高さ方向上下両方向に開放された充電器である。
第４の関連発明によれば、凹部が高さ方向の全領域について設けられていることから、電源コードを当該凹部から上方又は下方の何れからも引き出すことができる。このため、本体ハウジングの２側面（例えば背面と右側面）をともに壁に当接させて当該充電器を壁のコーナー部に設置する場合に、電源コードを凹部の上から若しくは下からの何れからも引き出して電源コンセントに接続することができ、この点で、当該充電器の設置スペースのコンパクト化を図りつつ、電源コードの取り回しが楽になって充電器に使い勝手を向上させることができる。
【００１２】
次に、本実施形態に係る充電器１０は、作業台上に設置した状態に限らず、例えば図１１に示すように壁掛け状態に設置することもできる。また、本実施形態に係る充電器１０は直接手に持って持ち運ぶことができる他、例えば図１２に示すようにストラップＳＴを用いることにより肩に掛けて携行することもできる。
図２〜図５に示すように本体ハウジング２０の背面には、左右一対の壁掛け用の固定孔３０，３０と、同じく左右一対のストラップ取り付け孔３１，３１が設けられている。図示するように壁掛け用の固定孔３０，３０及びストラップ取り付け孔３１，３１は、何れも平面視側面領域Ｓよりも内側であって側方へ突き出さない位置に設けられている。
本体ハウジング２０の背面であって平面視側面領域Ｓの内側には、上下二段の凹部２５，２６が左右に対をなして設けられている。上側の上凹部２５，２５は、上分割ハウジング２１に設けられ、下側の下凹部２６，２６は下分割ハウジング２２に設けられている。上凹部２５，２５の底縁部２５ａ，２５ａに、それぞれストラップ取り付け孔３１が上下に貫通する状態に設けられている。図５に示すように左右のストラップ取り付け孔３１，３１は、前後方向（図５において上下方向）に僅かに長い長溝孔形状に形成されている。
また、図５に示すように左右のストラップ取り付け孔３１，３１は、それぞれ底縁部２５ａの左右方向中央から相互に離間する側（左右方向外側）に僅かにずれて配置されている。このため、左側のストラップ取り付け孔３１は、上凹部２５の底縁部２５ａの左端にずれて配置され、右側のストラップ取り付け孔３１は、上凹部２５の底縁部２５ａの右端にずれて配置されている。このように左右のストラップ取り付け孔３１，３１がそれぞれの上凹部２５に対して相互に離間する側にずれて配置されていることから、図１２に示すように両ストラップ取り付け孔３１，３１間にストラップＳＴを掛け渡した状態では、両上凹部２５，２５の内側端部（右側の上凹部２５の左端部と左側の上凹部２５の右端部）に当該ストラップＳＴが当たりにくくなっている。このように設けた左右のストラップ取り付け孔３１，３１間にストラップＳＴを掛け渡しておくことにより、使用者は当該充電器１０を肩に掛けて携行することができる。
【００１３】
以上のように構成した本実施形態の充電器１０によれば、肩掛け用のストラップＳＴを取り付けるためのストラップ取り付け孔３１，３１が本体ハウジング２０の側部に突き出さない状態に設けられているので、他部材を誤ってぶつけてしまった場合あるいは当該充電器１０をあやまって落下させてしまった場合にその損傷を防止して当該充電器１０の耐久性を高めることができる。
また、ストラップ取り付け孔３１，３１が本体ハウジング２０の背面に設けた上凹部２５，２５の底部２５ａ，２５ａに設けられているので、ストラップＳＴを取り外しておけば本体ハウジング２０の背面を壁に隙間なくぴたりと当接させた状態に設置することができ、これにより設置スペースのコンパクト化を図ることができる。
さらに、左右のストラップ取り付け孔３１，３１が、底縁部２５ａ，２５ａの左右幅方向の中心に対して相互に離間する側にずれて配置されている。このため、両ストラップ取り付け孔３１，３１に取り付けたストラップＳＴを肩に掛けた状態では、肩に向かって山形に傾斜するストラップＳＴが上凹部２５，２５の内側の壁部に当たりにくくなり、当該ストラップＳＴを左右バランスよく取り付けることができるとともに、当該ストラップＳＴの本体ハウジング２０（上凹部２５の内壁部）に擦れることによる損傷を少なくすることができる。
また、ストラップＳＴを取り付けるための底縁部２５ａ，２５ａが、接合面Ｊで突き合わされる上下２分割構造ではなく、上分割ハウジング２１側に一体に設けられた構成となっているため、本体ハウジング２０を上分割ハウジング２１と下分割ハウジング２２に二分した状態であっても、当該底縁部２５ａ，２５ａがその板厚方向に二分されることがない。このことから、当該底縁部２５ａ，２５ａの強度を確保しつつその板厚を薄くすることができるとともに、２分割されないことからストラップ取り付け孔３１，３１の芯ずれを生ずることがない。
【００１４】
例示した実施形態には種々変更を加えることができる。例えば、本体ハウジング２０の背面側にストラップ取り付け孔３１，３１を設ける構成を例示したが、左右側部に設ける構成としてもよい。
また、ストラップ取り付け孔３１，３１を左右一対設ける構成を例示したが、１つのストラップ取り付け孔にストラップを取り付けて肩掛け可能な構成としてもよい。
さらに、左右のストラップ取り付け孔３１，３１をそれぞれの底縁部２５ａ，２５ａに対して相互に離間する側にずれて配置した構成を例示したが、それぞれ底縁部２５ａ，２５ａの左右幅方向中心に配置する構成であってもよい。
また、ストラップ取り付け孔３１，３１は、例示したように長溝孔に限らず円形の貫通孔であってもよい。
また、作業台設置用の固定孔３０，３０にストラップ取り付け孔の機能を併せ持たせた構成としてもよい。
【００１５】
以上の構成は、以下の第５〜第７関連発明として把握することができる。
第５の関連発明は、肩掛け用のストラップを取り付け可能な充電器であって、ストラップの取り付け孔を、本体ハウジングの平面視側面領域の内側に備えた充電器である。
第５の関連発明によれば、ストラップ取り付け用の取り付け孔が本体ハウジングの側部に突き出さない状態に設けられているので、他部材を誤ってぶつけてしまった場合あるいは当該充電器をあやまって落下させてしまった場合等における当該本体ハウジングの耐久性を高めることができる。
また、ストラップ取り付け用の取り付け孔が本体ハウジングの側部に突き出さない状設けられているので、本体ハウジングの側部を壁に隙間なくぴたりと当接させた状態に設置することができ、これにより設置スペースのコンパクト化を図ることができる。
第６の関連発明は、第５の関連発明において、ストラップの取り付け孔を左右一対備えており、この両取り付け孔は平面視側面領域から内側に凹んだ凹部の底縁部に貫通して設けられており、かつ平面視で底縁部の左右方向中心に対して相互に離間する側にずれて設けられた充電器である。
第６の関連発明によれば、左右のストラップ取り付け孔にストラップの一端側及び他端側を引き掛けた場合に、相互に接近する側に傾いて掛け渡されるストラップが凹部の内側の壁部に当たりにくくなり、当該ストラップを左右バランスよく取り付けることができる。
第７の関連発明は、第６の関連発明において、本体ハウジングは設置面に沿った接合面で、設置面側の下分割ハウジングと、バッテリパック取り付け部を有する上分割ハウジングを相互に突き合わせた２分割構造を備えており、底縁部は接合面を避けて、下分割ハウジング若しくは上分割ハウジングの一方に設けられた充電器である。
第７の関連発明によれば、ストラップ取り付け孔が設けられる底縁部について接合面が設定されないことから、当該底縁部の強度を確保しやすくなり、またストラップ取り付け孔について上下の芯ずれを発生させることがない。
【００１６】
さらに、図５に示すように左右のストラップ取り付け孔３１，３１の下方に固定孔３０，３０がそれぞれ左右方向の位置を一致させて（同軸に）配置されている。このため、図５では、左右のストラップ取り付け孔３１，３１を経て下方の固定孔３０，３０が見えている。
左右の固定孔３０，３０も、それぞれ下凹部２６，２６の底縁部２６ａ，２６ａの左右方向中央から相互に離間する側（左右方向外側）に僅かにずれて配置されている。このため、図４に示すように左側の固定孔３０は、下凹部２６の底縁部２６ａの左端にずれて配置され、右側の固定孔３０は下凹部２６の底縁部２６ａの右端にずれて配置されている。
左右の固定孔３０，３０はそれぞれ底縁部２６ａを上下に貫通して設けられている。このため、両固定孔３０，３０は、下分割ハウジング２２の底面側であって本体ハウジング２０の底面２７側に開口する状態に設けられている。図１０には、本体ハウジング２０を底面２７側から見た状態が示されている。本体ハウジング２０の底面２７の四隅には、脚部２７ｂ〜２７ｂが設けられている。各脚部２７ｂには滑り止め用のゴム板２７ｈが貼り付けられている。背面側の左右二箇所の脚部２７ｂ，２７ｂの内側にそれぞれ上記の固定孔３０が開口されている。正面側の左右二箇所の脚部２７ｂ，２７ｂの背面側（図１０において上側）には、だるま孔形状の引き掛け部２７ｅ，２７ｅが設けられている。図１１に示すように当該充電器１０を壁掛け状態で設置する際には、底面２７を壁面Ｗに対向させて両引き掛け部２７ｅ，２７ｅに壁面に設けた係合凸部２８，２８を引き掛け、この引き掛け状態で両固定孔３０，３０に固定ねじ２９，２９を挿通して壁面Ｗに締め込むことにより、充電器１０を壁掛け状態に固定することができる。なお、図示するように壁掛け設置する場合には、各脚部２７ｂのゴム板２７ｈは予め取り外された状態とされる。
この場合、固定孔３０に対してストラップ取り付け孔３１が同軸に配置されていることから、図１１に示すようにねじ締め用の例えばねじ回しＤを上凹部２５を経てストラップ取り付け孔３１に差し入れて固定ねじ２９の締め付け、緩め作業を楽に行うことができる。
【００１７】
図１０に示すように本体ハウジング２０の底面２７は、充電器１０として載置された際の本体ハウジング２０のケース底部をなし、本体ハウジング２０の内部に装置される各種の充電器機能部品（装置体）を支持する座として機能する。この充電器機能部品は、この底面の略中央範囲として設定される底央部２７１にて支持されている。これに対して、この底面２７の周縁を含む底央部２７１の周囲は、底周部２７２〜２７２として設定される。このように範囲が区分けされた底面２７は、底周部２７２〜２７２をなす４辺のうちの２辺以上となる底周部２７２〜２７２の全てに、指掛け部２７ａ〜２７ａが設けられている。
すなわち、指掛け部２７ａ〜２７ａは、この底面２７のうち、前後左右の４辺に沿った周囲として設定される底周部２７２〜２７２の全周に亘ってに設けられている。この指掛け部２７ａ〜２７ａは、底周部２７２〜２７２に対して、この略中央範囲として設定される底央部２７１に設定される形状に比して、外側に突き出された形状にて形成される。具体的には、この指掛け部２７ａ〜２７ａは、底央部２７１よりも一段高くなるような形状となっている。このようにして、底周部２７２〜２７２をなす４辺の全周には、これらの指掛け部２７ａ〜２７ａにより、底央部２７１に比してユーザの指の掛かりが高められたものとなっている。つまり、使用者は、この指掛け部２７ａ〜２７ａに指先を引っ掛けて、当該指掛け部２７ａ〜２７ａを滑り止め部として機能させることによって、当該充電器１０を楽に持ち運ぶことができる。また、この指掛け部２７ａ〜２７ａに指先を引っ掛けることにより、当該充電器１０を片手でも安定した状態で持ち運ぶことができる。
【００１８】
指掛け部２７ａ〜２７ａは、底面２７の周囲全周にわたって設けられているので、使用者は本体ハウジング２０の正面側、背面側若しくは左右側部側の何れからでも指先を引っ掛けて当該充電器１０をしっかりと把持することができる。このことから、左利きの使用者であっても右利きの使用者であっても、当該充電器１０を利き手のみで楽に持ち運ぶことができる。この指掛け部２７ａは、底面２７の４辺全てに沿って設ける他、正面側と背面側の一方と、左右側部の何れか一方との少なくとも相互に交差する２辺について設ける構成とすることにより同様の作用効果を得ることができる。
指掛け部２７ａ〜２７ａの内側に設定される底央部２７１には、一段低い底面凹部２７ｃが設けられている。この底面凹部２７ｃは、当該指掛け部２７ａに使用者が指を引っ掛けるに足るスペースが確保されれば足り、極力狭い範囲に設けられることが望ましい。このため、図１０中二点鎖線で示すように、この底央部２７１に設けられる底面凹部２７ｃの中央には、指掛け部２７ａ〜２７ａと同等高さの中央段差部２７ｄが設けられるようにしてもよい。この中央段差部２７ｄは、本体ハウジング２０に関して外側に向けて張り出された形状をなしている。このように底面凹部２７ｃに中央段差部２７ｄが設けられることとなると、この底面凹部２７ｃの凹み範囲を少なくすることができ、本体ハウジング２０の内部の収容量を拡大させることができる。つまり、当該本体ハウジング２０の特に下分割ハウジング２２の内部容量（深さ）をより大きくすることができる。このように下分割ハウジング２２の収容拡大形状により、この本体ハウジング２０の内部容量を大きくすると、例えば後述するように当該下分割ハウジング２２に収容する制御基板４０の電子部品レイアウト上の自由度を高めることができる。つまり、本体ハウジング２０の内部の収容量を拡大させて、本体ハウジング２０の内部に装置される装置体を有利に装置させることができる。
【００１９】
以上のように構成した充電器１０によれば、底面２７の底周部２７２をなす４辺には、指掛け部２７ａ〜２７ａが設けられているので、底面２７の底央部２７１よりもユーザの指の掛かりを高めることができる。これによって、ユーザが充電器１０を持ち運ぶに際して、全周方向どこからでも充電器１０を容易に掴むことができるようになるので、充電器１０の持ち運びの際に、さまざまな態様の持ち方でも充電器１０をしっかりと手で掴めるようになり、持ち運び時の利便性を向上させることができる。つまり、ユーザが充電器１０の端縁部分を手で単純に掴んだ場合でも、この充電器１０の端縁近くに設けられる指掛け部２７ａに指が引っ掛けることができて、この充電器１０をしっかりと掴むことができる。また、ユーザが充電器１０を小脇に抱え込むようにして持ち運ぶ場合でも、この充電器１０の端縁近くに設けられる指掛け部２７ａに指が引っ掛けることができて、この充電器１０をしっかりと掴むことができる。また、上記した充電器１０によれば、指掛け部２７ａ〜２７ａは、底央部２７１よりもユーザの指の掛かりが高められるにあたり、底周部２７２に対して底央部２７１に設定される形状に比して外側に突き出された形状で設定されているので、指掛け部２７ａ〜２７ａを簡単かつ安価に設けることができる。
【００２０】
また、例示した実施形態には種々変更を加えることができる。例えば、上記例示した指掛け部２７ａ〜２７ａは、底面２７の底周部２７２をなす全周４辺に設けられるものであった。しかしながら、下記の第８〜第１１関連発明に係る指掛け部は、この底周部の全周４辺のうち、少なくとも２辺において設けられるものであればよい。下記の第８〜第１１関連発明に係る指掛け部としては、ユーザの指の掛かりが高められる構成であれば適宜の構成が選択できるものである。すなわち、下記の第８〜第１１関連発明に係る指掛け部としては、上記例示したような構造により指の掛かりが高められるものであってもよく、さらに細かな突起等のような形状により指の掛かりが高められるものであってもよく、また弾性材等のような素材により指の掛かりが高められるものであってもよい。より具体的に言えば、下記の第８〜第１１関連発明に係る指掛け部としては、滑り止め用の細かな突起を多数形成されるものであったり、あるいはローレット目のような滑り止め加工が施されるものであったり、さらには滑り止め用のゴムシート等の弾性部材を貼り付けられるものであってもよい。このように指掛け部が構成される場合であっても、当該充電器の持ち運びやすさを一層高めることができる。
また、上記した実施形態のように、底央部２７１は、底面凹部２７ｃとして形成されていても、中央段差部２７ｄとして形成されていてもよく、適宜の形状を選択することができる。ただ、底央部２７１が中央段差部２７ｄとして形成されている場合には、下分割ハウジング２２の内部容量（深さ）をより大きくすることができて、本体ハウジング２０の内部の収容量を拡大させることができるので、本体ハウジング２０に収容される制御基板等のレイアウトに有利となる。
【００２１】
以上の構成は、以下の第８〜第１１関連発明として把握することができる。
第８の関連発明は、充電式バッテリを充電可能に構成される充電器であって、充電器としての外装をなす外装ケースを備え、充電器として載置された際の前記外装ケースのケース底部をなす底面は、該外装ケースの内部に装置される装置体を支持する底央部と、該底央部の周囲として設定される底周部とに、範囲が区分けされており、前記底周部をなす４辺のうち少なくとも２辺の該底周部には、前記底央部よりもユーザの指の掛かりが高められる、指掛け部が設けられていることを特徴とする。この第１の発明に係る充電器によれば、底面の底周部をなす４辺のうち少なくとも２辺の底周部には、指掛け部が設けられているので、底面の底央部よりもユーザの指の掛かりを高めることができる。これによって、ユーザが充電器を持ち運ぶに際して、少なくとも２つの方向から充電器を容易に掴むことができるようになるので、充電器の持ち運びの際に、さまざまな態様の持ち方でも充電器をしっかりと手で掴めるようになり、持ち運び時の利便性を向上させることができる。なお、この充電器の持ち運びの態様としては、充電器の端を手で単純に掴んで持ち運ぶ態様や、充電器を小脇に抱え込むようにして持ち運ぶ態様等が考えられる。
【００２２】
第９の関連発明は、第８の関連発明において、前記指掛け部は、前記底周部に対して前記底央部に設定される形状に比して外側に突き出された形状で設定されることにより、該底央部よりもユーザの指の掛かりが高められていることを特徴とする。この第２の発明に係る充電器によれば、指掛け部は、底央部よりもユーザの指の掛かりが高められるにあたり、底周部に対して底央部に設定される形状に比して外側に突き出された形状で設定されているので、指掛け部を簡単かつ安価に設けることができる。
第１０の関連発明に係る充電器は、前記第８または前記第９の関連発明において、前記指掛け部は、前記底周部の全周をなす４辺に亘って設けられていることを特徴とする。この第３の発明に係る充電器によれば、指掛け部は底周部の全周をなす４辺に亘って設けられているので、ユーザが充電器を持ち運ぶに際して、全周方向どこからでも充電器を掴むことができる。これによって、さまざまな態様の持ち運びに対しても、いずれの方向でも手で掴めるようにして持ち運び時の利便性を更に向上させることができる。
第１１の関連発明は、前記第８から前記第１０のいずれかの発明において、前記底央部には、前記外装ケースの外側に向けて張り出されることにより、該外装ケースの内部の収容量を拡大させる収容拡大形状が設けられていることを特徴とする。この第４の発明に係る充電器によれば、底央部には、外装ケースの外側に向けて張り出される収容拡大形状が設けられているので、この外装ケースの内部の収容量を拡大させることができる。これによって、外装ケースの内部の収容量を拡大させて、外装ケースの内部に装置される装置体を有利に装置させることができる。
【００２３】
第８の関連発明に係る充電器によれば、さまざまな態様の持ち運びに対しても、しっかりと少なくとも２つの方向で手で掴めるようにして、持ち運び時の利便性を向上させることができる。
第９の関連発明に係る充電器によれば、指掛け部を簡単かつ安価に設けることができる。
第１０の関連発明に係る充電器によれば、さまざまな態様の持ち運びに対しても、いずれの方向でも手で掴めるようにして持ち運び時の利便性を更に向上させることができる。
第１１の関連発明に係る充電器によれば、外装ケースの内部の収容量を拡大させて、外装ケースの内部に装置される装置体を有利に装置させることができる。
【００２４】
次に、図１３に示すように充電器１０をなす充電器本体１００には、外部露出可能に配設される４口のバッテリ取り付け部１１〜１４が設けられている。この充電器本体１００は、下記の第１２〜第１６関連発明に係る装着装置本体に相当し、バッテリパックＢを充電可能に構成される。また、これら４口のバッテリ取り付け部１１〜１４は、下記の第１２〜第１６関連発明に係るバッテリ装着構造に相当する。これら４口のバッテリ取り付け部１１〜１４は、バッテリパックＢに対する機械的及び電気的な取り付け形態について相互に同様の構成を備えている。以下、図１３に分解状態で示すように左端の第１バッテリ取り付け部１１について説明する。この第１バッテリ取り付け部１１の左右に有する受けレール部１１ａ，１１ａ間に、正負の接続端子１１ｂ，１１ｂと、信号送受信用のコネクタ１１ｄが配置されている。これら正負の接続端子１１ｂ，１１ｂと信号送受信用のコネクタ１１ｄは、バッテリパックＢの充電に資するように電気的に接続する充電器端子として機能する。
これら正負の接続端子１１ｂ，１１ｂと信号送受信用のコネクタ１１ｄの外側には、ターミナルカバー機構１１Ａが設けられている。ターミナルカバー機構１１Ａは、概略、カバー部材としての端子カバー１１ｃと、付勢ばねとしての圧縮ばね１１ｅとを備える。この端子カバー１１ｃは、正負の接続端子１１ｂ，１１ｂとコネクタ１１ｄに覆い被さる被覆位置と、接続端子１１ｂ，１１ｂとコネクタ１１ｄを接続可能に外部露出させる露出位置と両者の位置の間を位置変更にスライドする。圧縮ばね１１ｅは、端子カバー１１ｃを被覆位置の方向に向けてスライド付勢する。なお、端子カバー１１ｃの被覆位置は図示背面側に設定されており、端子カバー１１ｃの露出位置は図示正面側に設定されている。つまり、図１９に示すように圧縮ばね１１ｅの付勢方向端１１ｅａは、図示背面側の圧縮ばね１１ｅの端部にて設定されている。これに対して、圧縮ばね１１ｅの支持基端１１ｅｂは、この付勢方向端１１ｅａとは反対側端部となる、図示正面側の圧縮ばね１１ｅの端部にて設定されている。
【００２５】
このターミナルカバー機構１１Ａは、下記の第１２〜第１６関連発明に係るカバー機構に相当する。このようにターミナルカバー機構１１Ａは、端子カバー１１ｃによって接続端子１１ｂ，１１ｂとコネクタ１１ｄを覆うようになっていることにより、これら接続端子１１ｂ，１１ｂとコネクタ１１ｄの外部の露出を防いで損傷等から保護することができる。このように端子カバー１１ｃは、圧縮ばね１１ｅ，１１ｅによって背面側へスライドする方向（閉じ方向）に付勢されつつ前後方向にスライドできる。この端子カバー１１ｃの第１バッテリ取り付け部１１に対する組み付け構造についても工夫がなされている。
すなわち、圧縮ばね１１ｅのうち付勢方向端１１ｅａは、端子カバー１１ｃに設けられる付勢受部１１ｃｆにより本支持されている。また、圧縮ばね１１ｅの支持基端１１ｅｂは、端子カバー１１ｃに設けられる仮止めリブ１１ｃｄにより仮支持されるようになっている。なお、ここでいう本支持とは、端子カバー１１ｃを組み付け後にでも支持される支持を意味する。また、ここでいう仮支持とは、端子カバー１１ｃを組み付け後では支持されない一時的な支持を意味する。仮止めリブ１１ｃｄは、下記の第１２〜第１６関連発明に係る仮受部に相当し、図示背面側に向けて突き出した１つのリブ形状にて形成される。この仮止めリブ１１ｃｄは、圧縮ばね１１ｅの支持基端１１ｅｂを中間部分で仮支持するように形成されている。
図１９には、第１バッテリ取り付け部１１から取り外された、若しくは組み付け前の端子カバー１１ｃが示されている。この端子カバー１１ｃの下面（裏面）ほぼ中央には、１つの支持ボス部１１ｃｅが下方へ突き出す状態に設けられている。この支持ボス部１１ｃｅの中心にねじ孔１１ｃａが設けられている。同じく端子カバー１１ｃの下面であって支持ボス部１１ｃｅの左右側方に、一対のばね収容部１１ｃｂ，１１ｃｂが設けられている。
両ばね収容部１１ｃｂ，１１ｃｂに、それぞれ上記の圧縮ばね１１ｅが収容されている。圧縮ばね１１ｅの後部側は、ばね収容部１１ｃｂの後部に設けた保持部１１ｃｃに挟まれて伸縮方向（前後方向）に変位不能に保持された状態となっている。圧縮ばね１１ｅの前部側は、ばね収容部１１ｃｂの前部に設けた仮止めリブ１１ｃｄに当接された状態となっている。このため、両圧縮ばね１１ｅ，１１ｅの前部側はその伸縮方向に変位可能な状態でそれぞれ仮止めリブ１１ｃｄに当接されている。このように２つの圧縮ばね１１ｅ，１１ｅをばね収容部１１ｃｂ，１１ｃｂに保持（仮止め）したアッセンブリ状態で、当該端子カバー１１ｃが第１バッテリ取り付け部１１に組み付けられる。
図１８には、第１〜第４バッテリ取り付け部１１〜１４が全て取り外された組み付け前の部品状態の上分割ハウジング２１が示されている。この上分割ハウジング２１の上面には、第１〜第４バッテリ取り付け部１１〜１４に対応する第１〜第４台座部６４〜６７が設けられている。図示するように第１〜第４台座部６４〜６７は同じ構成を備えているので、以下左端の第１台座部６４について説明する。
【００２６】
第１バッテリ取り付け部１１に対応する第１台座部６４の中央には矩形の窓部４３ａが設けられている。他の図に示すようにこの窓部４３ａを経て第１端子板４３の接続端子１１ｂ，１１ｂ及びコネクタ１１ｄが上方へ突き出される。第１〜第４端子板４３〜４６の支持構造については後述する。窓部４３ａの前側（図１８において下側）には、閉じストッパ壁部６０が上方へ張り出す状態に設けられている。この閉じストッパ壁部６０の前方には、左右一対のばね受けリブ６２，６２が上方へ突き出す状態に設けられている。このばね受けリブ６２は、下記の第１２〜第１６関連発明に係る本受部に相当し、圧縮ばね１１ｅの支持基端１１ｅｂを本支持する。このばね受けリブ６２は、端子カバー１１ｃを組み付けた後の、１つの仮止めリブ１１ｃｄの両側に配置される２つにて設定されている。すなわち、図１３にも示すように両ばね受けリブ６２，６２は、それぞれ左右方向の中央にスリットを有する二股形状を有している。このばね受けリブ６２と仮止めリブ１１ｃｄとの関係は、充電器本体１００にターミナルカバー機構１１Ａを組み付ける際に、端子カバー１１ｃの仮止めリブ１１ｃｄにて仮支持されていた圧縮ばね１１ｅの支持基端が、端子カバー１１ｃの組み付ける動きに応じて仮止めリブ１１ｃｄの当接から、ばね受けリブ６２の当接に乗り移り、端子カバー１１ｃの組み付け後に、ばね受けリブ６２にて本支持されるように設定されている。詳しくは、端子カバー１１ｃの組み付け後の、ばね受けリブ６２にて本支持される支持基端１１ｅｂの位置が、仮止めリブ１１ｃｄにて仮支持される支持基端１１ｅｂの位置に比して、圧縮ばね１１ｅを圧縮する図示背面側に位置するようになっている。
【００２７】
また、図２０以降に示すように両ばね受けリブ６２，６２の上部後面には、後方に下る案内傾斜面６２ａ，６２ａが設けられている。この案内傾斜面６２ａ，６２ａは、圧縮ばね１１ｅの支持基端１１ｅｂが、仮止めリブ１１ｃｄの当接から、ばね受けリブ６２の当接に乗り移るに際しての、ばね受けリブ６２の乗り移り導入部分として設定される部分である。つまり、この案内傾斜面６２ａ，６２ａは、圧縮ばね１１ｅの支持基端１１ｅｂの乗り移りにしたがって、圧縮ばね１１ｅの支持基端１１ｅｂを、圧縮する背面側に向かってガイドさせる機能を有している。具体的には、案内傾斜面６２ａ，６２ａは、圧縮ばね１１ｅの支持基端１１ｅｂを圧縮ばね１１ｅの圧縮する方向にて支持していくように傾斜させた形状となっている。そして、端子カバー１１ｃの組み付け後に、このばね受けリブ６２，６２が、圧縮ばね１１ｅの支持基端１１ｅｂを、仮止めリブ１１ｃｄよりも背面側にズレた位置で支持することとなる。
なお、案内傾斜面６２ａ，６２ａの頂点６２ｂ，６２ｂは、端子カバー１１ｃの組み付け後の仮止めリブ１１ｃｄの位置よりも僅かに正面側にズレて配置されている。このため、仮止めリブ１１ｃｄからばね受けリブ６２に支持基端１１ｅｂの当接が乗り移るに際して、この乗り移りの導入がよりスムーズとなる。つまり、このの頂点６２ｂ，６２ｂの配置位置と、案内傾斜面６２ａ，６２ａの傾斜構造により、端子カバー１１ｃの組み付ける動きが真上から真下となる場合でも、圧縮ばね１１ｅの支持基端１１ｅｂの当接を、仮止めリブ１１ｃｄからばね受けリブ６２に乗り移させることができる。
図１３及び図１８に示すように左右のばね受けリブ６２，６２間に、１つの溝孔６３が設けられている。この溝孔６３は両ばね受けリブ６２，６２間から後方へ延びて閉じストッパ壁部６０の手前に至っている。この溝孔６３は、端子カバー１１ｃの支持ボス部１１ｃｅを挿通可能な幅寸法で、第１台座部６４を板厚方向に貫通して設けられている。図２３に示すようにこの溝孔６３内に上から挿入された支持ボス部１１ｃｅのねじ孔１１ｃａに固定ねじ６１が下方から締め込まれることにより、当該端子カバー１１ｃが第１台座部６４に前後方向に一定のストロークでスライド可能に支持された組み付け状態となる。
【００２８】
図２０〜図２３には、第１バッテリ取り付け部１１に対する端子カバー１１ｃの組み付け手順が示されている。図２０に示すように端子カバー１１ｃの組み付け前において、当該端子カバー１１ｃは、その下面に２つ圧縮ばね１１ｅ，１１ｅが仮止めされたアッセンブリ状態となっている。第１台座部６４に対して端子カバー１１ｃをセットした後に、溝孔６３の下方から１つの固定ねじ６１が挿入されてねじ孔１１ｃａに締め込まれて当該端子カバー１１ｃの組み付けが完了する。
先ず、図２１に示すようにその支持ボス部１１ｃｅを、溝孔６３内に上側から挿入しつつ、当該端子カバー１１ｃを第１台座部６４に被せるようにして接近させる。この際、左右の仮止めリブ１１ｃｄ，１１ｃｄがそれぞればね受けリブ６２のスリットに挿入されるよう、当該端子カバー１１ｃの前後方向の位置については図示するように概ねその閉じ位置となる後方位置から接近させることが望ましい。
端子カバー１１ｃを第１台座部６４に接近させると、その支持ボス部１１ｃｅが溝孔６３内に挿入されるとともに、左右の圧縮ばね１１ｅ，１１ｅの前端部が、それぞればね図２１に示すように受けリブ６２の案内傾斜面６２ａに押し付けられる。
左右の圧縮ばね１１ｅ，１１ｅの前端部がそれぞればね受けリブ６２の案内傾斜面６２ａに押し付けられた状態で、さらに端子カバー１１ｃを下方へ平行移動させて第１台座部６４に接近させると、図２２に示すように両圧縮ばね１１ｅ，１１ｅの前端部が僅かに縮小方向に押されて仮止めリブ１１ｃｄ，１１ｃｄから離間してばね受けリブ６２，６２の後面に当接した状態に移行する。
こうして両圧縮ばね１１ｅ，１１ｅの前端部が、それぞれ仮止めリブ１１ｃｄからばね受けリブ６２に乗り移った状態で、さらに端子カバー１１ｃを図２３に示すように第１台座部６４にほぼ当接する位置まで移動させたセット状態とする。このセット状態において、支持ボス部１１ｃｅのねじ孔１１ｃａに固定ねじ６１を締め付ければ、当該端子カバー１１ｃの第１台座部６４に対する組み付け作業が完了する。この段階では、左右の圧縮ばね１１ｅ，１１ｅの前端側がばね受けリブ６２（第１台座部６４側）に当接した状態となっていることから、当該圧縮ばね１１ｅ，１１ｅの付勢力が端子カバー１１ｃを閉じ側（後方）にスライドさせる方向に作用する状態となっている。
【００２９】
このように、２つの圧縮ばね１１ｅ，１１ｅをそれぞればね収容部１１ｃｂ内に仮止めしたアッセンブリ状態の端子カバー１１ｃを第１台座部６４に組み付けると、仮止めされた両圧縮ばね１１ｅ，１１ｅの前端部側が自動的にばね受けリブ６２側に乗り移ってその付勢力が端子カバー１１ｃの閉じ側に作用する状態となる。このことから、作業者は組み付け作業中に圧縮ばね１１ｅ，１１ｅの前端部の移動等の面倒な作業を専用の工具等を用いて行う必要がなく、圧縮ばね１１ｅ，１１ｅにはジグ等によるガイドをすることなく端子カバー１１ｃの移動のみで組み付け作業を迅速かつ確実に完了することができる。このような組み付け作業により、第２〜第４台座部６５〜６７に端子カバー１２ｃ，１３ｃ，１４ｃをそれぞれ迅速かつ確実に組み付けることができる。
上記のようにして組み付けられた端子カバー１１ｃを圧縮ばね１１ｅ，１１ｅに抗して正面側へ押し開きつつバッテリパックＢを背面側から正面側へ向けてやや下る方向にスライドさせることにより当該バッテリパックＢを第１バッテリ取り付け部１１に取り付けることができる。バッテリパックＢを第１バッテリ取り付け部１１に取り付けると、当該バッテリパックＢは充電器１０に対して機械的に固定され、また電気的に接続された状態となって、充電可能な状態となる。また、左端の第１バッテリ取り付け部１１の他、その右側の第２バッテリ取り付け部１２、第３バッテリ取り付け部１３及び第４バッテリ取り付け部１４の全てについて合計４個のバッテリパックＢ〜Ｂを取り付けることにより、これらを同時に充電することができる。
【００３０】
以上のように構成した第１バッテリ取り付け部１１によれば、充電器本体１００にターミナルカバー機構１１Ａを組み付ける際に、端子カバー１１ｃの仮止めリブ１１ｃｄにて仮支持されていた圧縮ばね１１ｅの支持基端１１ｅｂを、端子カバー１１ｃの組み付ける動きに応じて仮止めリブ１１ｃｄの当接からばね受けリブ６２の当接に乗り移させて、端子カバー１１ｃの組み付け後にばね受けリブ６２にて本支持されるようにすることができる。これによって、充電器本体１００に対してターミナルカバー機構１１Ａをジグ等を用いることなく組み付けることができる。また、上記した第１バッテリ取り付け部１１によれば、ばね受けリブ６２にて本支持される支持基端１１ｅｂの位置を、仮止めリブ１１ｃｄにて仮支持される支持基端１１ｅｂの位置に比して、圧縮ばね１１ｅを圧縮する背面側にズラしているので、端子カバー１１ｃの組み付け後のばね受けリブ６２による支持基端１１ｅｂの本支持を、より確実な支持にできる。また、上記した第１バッテリ取り付け部１１によれば、案内傾斜面６２ａ，６２ａは、圧縮ばね１１ｅの支持基端１１ｅｂの乗り移りにしたがって、圧縮ばね１１ｅの支持基端１１ｅｂを、圧縮する背面側に向かってガイドさせるので、端子カバー１１ｃの組み付ける動きに応じた乗り移りを、よりスムーズに行えるようにできる。また、上記した第１バッテリ取り付け部１１によれば、仮止めリブ１１ｃｄは支持基端１１ｅｂを中間部分で１つで仮支持し、ばね受けリブ６２は組み付けた後の１つの仮止めリブ１１ｃｄの両側に配置される２つで本支持するので、仮止めリブ１１ｃｄとばね受けリブ６２との構造を小さく組み合わせることができつつ、本支持の支持範囲を拡げて安定的な支持にすることができる。
また、例示した実施形態には種々変更を加えることができる。例えば、上記した実施形態にあっては、バッテリパックＢをスライドして取り付ける構造を具備する充電器１０を例示するものであった。しかしながら、下記の第１２〜第１６関連発明に係る装着装置本体としては、これに限定されることなく、このような充電式バッテリをスライドして取り付ける構造を具備する構造体に対して広く適用することができる。
また、下記の第１２〜第１６関連発明に係る仮受部と本受部の構成としては、上記した実施形態の仮止めリブ１１ｃｄとばね受けリブ６２との組み合せ例に限定されることなく、適宜の態様の組み合せを選択することができる。また、端子カバー１１ｃの組み付ける動きとしては適宜の工夫が加えられるものであってもよく、少なくとも、この動きが、仮止めリブ１１ｃｄからばね受けリブ６２に圧縮ばね１１ｅの支持基端１１ｅｂの当接を乗り移させることができればよいものである。
【００３１】
以上の構成は、以下の第１２〜第１６関連発明として把握することができる。
第１２の関連発明は、スライド装着される充電式バッテリのバッテリ端子と電気的に接続可能な装着側端子が、電気的に接続可能に構成される装着装置本体に外部露出可能に配設されるバッテリ装着構造であって、前記装着装置本体には、前記充電式バッテリの非装着時に前記装着側端子の外部露出を防ぐカバー機構が設けられており、前記カバー機構は、前記装着側端子に覆い被さる被覆位置と該装着側端子を接続可能に外部露出させる露出位置との両者の位置の間をスライドすることにより位置変更されるカバー部材と、該カバー部材が前記被覆位置に位置するように該カバー部材を該被覆位置の方向に向けてスライド付勢する付勢ばねと、を備え、前記付勢ばねのうち前記カバー部材の付勢方向端部となる付勢方向端は、前記カバー部材に設けられる付勢受部により本支持されるようになっており、前記付勢ばねのうち該付勢方向端とは反対側端部となる支持基端は、前記カバー部材に設けられる仮受部により仮支持されるようになっており、前記装着装置本体には、前記付勢ばねの前記支持基端を本支持する本受部が設けられており、該本受部と前記仮受部との関係は、前記装着装置本体に前記カバー機構を組み付ける際に、前記カバー部材の前記仮受部にて仮支持されていた前記付勢ばねの前記支持基端が、前記カバー部材の組み付ける動きに応じて該仮受部の当接から前記本受部の当接に乗り移り、該カバー部材の組み付け後に該本受部にて本支持されるように設定されている、ことを特徴とする。なお、ここでいう『本支持』とは、カバー機構を組み付け後にでも支持される支持を意味し、『仮支持』とは、カバー機構を組み付け後では支持されない一時的な支持を意味する。
この第１２の関連発明によれば、装着装置本体にカバー機構を組み付ける際に、カバー部材の仮受部にて仮支持されていた付勢ばねの支持基端を、カバー部材の組み付ける動きに応じて仮受部の当接から本受部の当接に乗り移させて、カバー部材の組み付け後に本受部にて本支持されるようにすることができる。これによって、装着装置本体に対してカバー機構をジグ等を用いることなく組み付けることができる。
【００３２】
第１３の関連発明に係るバッテリ装着構造は、前記第１２の関連発明に係るバッテリ装着構造において、前記本受部と前記仮受部との関係は、前記カバー部材の組み付け後に該本受部にて本支持される前記支持基端の位置が、該仮受部にて仮支持される該支持基端の位置に比して、前記付勢ばねを圧縮する方向に配置されるように設定されていることを特徴とする。この第１３の関連発明に係るバッテリ装着構造によれば、本受部にて本支持される支持基端の位置を、仮受部にて仮支持される支持基端の位置に比して、付勢ばねを圧縮する方向に配置させているので、カバー部材の組み付け後の本受部による支持基端の本支持を、より確実な支持にできる。
第１４の関連発明に係るバッテリ装着構造は、前記第１３の関連発明に係るバッテリ装着構造において、前記付勢ばねの前記支持基端が前記仮受部の当接から前記本受部の当接に乗り移るに際しての該本受部の乗り移り導入部分には、該仮受部の当接から該本受部の当接に乗り移りにしたがって、該付勢ばねの該支持基端を該付勢ばねの圧縮する方向にて支持していくように傾斜させた形状が設けられていることを特徴とする。この第１４の関連発明に係るバッテリ装着構造によれば、乗り移り導入部分には、仮受部の当接から本受部の当接に乗り移りにしたがって付勢ばねの支持基端を付勢ばねの圧縮する方向にて支持していくように傾斜させた形状が設けられているので、カバー部材の組み付ける動きに応じた乗り移りを、よりスムーズに行える。
第１５の関連発明に係るバッテリ装着構造は、前記第１３または前記第１４の関連発明に係るバッテリ装着構造において、前記仮受部は、前記付勢ばねの前記支持基端を中間部分で仮支持し、前記本受部は、前記カバー部材を組み付けた後の前記仮受部の両側で本支持することを特徴とする。この第４の発明に係るバッテリ装着構造によれば、仮受部は中間部分で仮支持し、本受部は組み付けた後の仮受部の両側で本支持するので、仮受部と本受部との構造を小さく組み合わせることができつつ、本支持の支持範囲を拡げて安定的な支持にすることができる。
第１６の関連発明に係る充電器は、前記第１２から前記第１５のいずれかの関連発明に係るバッテリ装着構造を具備して構成される充電器であって、前記装着装置本体は前記充電式バッテリを充電可能に構成される充電器本体であり、前記装着側端子は該充電式バッテリの充電に資する充電器端子であり、前記カバー機構は該充電器端子の外側に配設されるターミナルカバー機構である、ことを特徴とする。この第１６の関連発明に係る充電器によれば、充電器の充電器端子の外側に配設されるターミナルカバー機構としての機能を発揮しながら、このターミナルカバー機構において上記した第１２から第１５の関連発明の作用効果を享受することができる。
【００３３】
第１２の関連発明に係るバッテリ装着構造によれば、装着装置本体に対してカバー機構をジグ等を用いることなく組み付けることができる。
第１３の関連発明に係るバッテリ装着構造によれば、カバー部材の組み付け後の本受部による支持基端の本支持を、より確実な支持にできる。
第１４の関連発明に係るバッテリ装着構造によれば、カバー部材の組み付ける動きに応じた乗り移りを、よりスムーズに行える。
第１５の関連発明に係るバッテリ装着構造によれば、仮受部と本受部との構造を小さく組み合わせることができつつ、本支持の支持範囲を拡げて安定的な支持にすることができる。
第１６の関連発明に係るバッテリ装着構造によれば、充電器の充電器端子の外側に配設されるターミナルカバー機構としての機能を発揮しながら、このターミナルカバー機構において上記した第１２から第１５の関連発明の作用効果を享受することができる。
【００３４】
上記したように第１〜第４バッテリ取り付け部１１〜１４は、それぞれ独立してバッテリパックＢを充電するための構成を個別に備えているが、相互間で共用できるものについては極力共用するための工夫がなされている。図１４〜図１６には、上分割ハウジング２１を取り外した状態の充電器１０であって、下分割ハウジング２２及びその内部構造が示されている。図では、電源コード引き出し用の凹部２３等であって既に説明した部材若しくは構成については同位の符号が付されている。
下分割ハウジング２２内には、平板形状の制御基板４０が底部２７に沿って一定の隙間をおいて取り付けられている。
制御基板４０の上方には、２つの端子受け台４１，４２が左右方向に横並び状態で設けられている。左側の第１端子受け台４１上に、第１端子板４３と第２端子板４４が搭載されている。右側の第２端子受け台４２上に、第３端子板４５と第４端子板４６が搭載されている。
第１端子板４３に、第１バッテリ取り付け部１１用の正負の接続端子１１ｂ，１１ｂと信号送受信用のコネクタ１１ｄがマウントされている。第２端子板４４に、第２バッテリ取り付け部１２用の正負の接続端子１２ｂ，１２ｂと信号送受信用のコネクタ１２ｄがマウントされている。第３端子板４５に、第３バッテリ取り付け部１３用の正負の接続端子１３ｂ，１３ｂと信号送受信用のコネクタ１３ｄがマウントされている。第４端子板４６に、第４バッテリ取り付け部１４用の正負の接続端子１４ｂ，１４ｂと信号送受信用のコネクタ１４ｄがマウントされている。図２０に示すように、端子板４３〜４６の下部にはそれぞればね４７が取り付けられており、上分割ハウジング２１を取り付けたときに端子板４３と上分割ハウジング２１がこのばね４７の付勢力によって密着するように構成されている。
下分割ハウジング２２に上分割ハウジング２１が結合されると、前記したように上分割ハウジング２１の第１〜第４台座部６４〜６７に設けた矩形の窓部４３ａ〜４６ａを経て第１〜第４端子板４３〜４６が当該上分割ハウジング２１の第１〜第４台座部６４〜６７からそれぞれ上面側に突き出されて、各バッテリ取り付け部１１〜１４における各接続端子１１ｂ〜１４ｂとコネクタ１１ｄ〜１４ｄがバッテリパックＢに対して接続可能な状態に突き出された状態となる。
両端子受け台４１，４２の底部は、第１端子板４３と第２端子板４４との間、第３端子板４５と第４端子板４６との間において上方へ矩形に屈曲されて天板部４１ａ，４２ａが形成されている。このため、両天板部４１ａ，４２ａと制御基板４０との間の高さ方向のスペースは、第１〜第４端子板４３〜４６を支持する底部４１ｂ，４２ｂと制御基板４０との間の高さ方向のスペースより大幅に大きくなっている。これにより両天板部４１ａ，４２ａの下方には、コンデンサやトランス等の高さ寸法の大きな電子部材を制御基板４０にマウントすることができる。
【００３５】
図１６に示すように両端子受け台４１，４２の背面側には、それぞれ一本の排水路４１ｃ，４２ｃが設けられている。両排水路４１ｃ，４２ｃは、両端子受け台４１，４２に右端部から左端部に至る左右幅方向全幅にわたって設けられている。図示するように両排水路４１ｃ，４２ｃは、それぞれ左側に下る方向に傾斜している。両端子受け台４１，４２の左端部であって最も低い部位には、それぞれ排水口（水抜き孔）４１ｄ，４２ｄが設けられている。
図２４に示すように両排水口４１ｄ，４２ｄは、制御基板４０の側方を経てそれぞれ底面２７に開口された排水口２７ｆに連通されている。図示するように排水口２７ｆは正面側に傾斜して設けられているとともに、その後部（図２４では上部）にはひさし部２７ｇが底面に沿って正面側へ張り出す状態に設けられている。このひさし部２７ｇによれば、図示するように当該充電器１０をその正面側を接地させた起立状態に設置した場合に、上方から滴下する雨水等の排水口４１ｄ，４２ｄ側ひいては端子板４３〜４６側への逆流が防止される。また、前記ストラップＳＴを用いて正面側を下方へ向けた肩掛け状態で当該充電器１０を持ち運ぶ場合にも、このひさし部２７ｇ，２７ｇによって雨水等の排水口４１ｄ，４２ｄ側ひいては端子板４３〜４６側への逆流が防止される。
このように両端子受け台４１，４２に設けた排水路４１ｃ，４２ｃ及び排水口４１ｄ，４２ｄにより、当該充電器１０に降り注いだ雨水等が端子受け台４１，４２上に溜まることなく本体ハウジング２０の外部に排水されるので、主として制御基板４０の浸水を防止して当該充電器１０の耐水性（耐久性）を高めることができる。
また、合計４口のバッテリ取り付け部１１〜１４のうち、第１バッテリ取り付け部１１の第１端子板４３と第２バッテリ取り付け部１２の第２端子板４４が共通の第１端子受け台４１に搭載され、第３バッテリ取り付け部１３の第３端子板４５と第４バッテリ取り付け部１４の第４端子板４６が共通の第２端子受け台４２に搭載されており、２つの端子受け台４１，４２で４つの端子板４３〜４６を支持する構成となっていることから、各端子板４３，４４，４５，４６について個別の端子受け台を４つ設定する構成に比して、部品点数の削減（共通部品化）が図られている。
また、２つの端子板４３，４４（４５，４６）を支持する１つの端子受け台４１（４２）について共通の排水路４１ｃ（４２ｃ）及び排水口４１ｄ（４２ｄ）を備える構成であり、この点でも複数口のバッテリ取り付け部について部品若しくは構成の共通化が図られている。
さらに、複数口のバッテリ取り付け部１１〜１４について、端子受け台４１，４２の共通部品化がなされ、また排水路４１ｃ，４２ｃ及び排水口４１ｄ，４２ｄの共用化がなされていることにより、これらを個別に設定した場合に比して本体ハウジング２０内のスペースを有効活用することができるので、例えば制御基板４０により大型若しくは多数の電子部品をマウントすることができるようになり、基板レイアウト上の制約を少なくすることができる。
【００３６】
以上のように構成した本実施形態の４口タイプの充電器１０によれば、４つの端子板４３〜４６について、端子板４３，４４が１つの端子受け台４１により支持され、端子板４５，４６が同じく１つの端子受け台４２により支持された構成となっている。このため、４つの端子板４３〜４６について、仮に個別の端子受け台を用いて支持した構成に比して端子受け台の部品点数を半分にすることができることから本体ハウジング２０内のスペースを有効活用することでき、また制御基板４０の実装面積を大きく確保することができる。
また、２つの端子板４３，４４（４５，４６）を支持する１つの端子受け台４１（４２）に、共通の排水路４１ｃ（４２ｃ）及び排水口４１ｄ（４２ｄ）を設けることができ、この点でも部品及び構成の共通化を図ることができ、これにより本体ハウジング２０内のスペースを一層有効活用することできる。
さらに、例示した端子受け台４１，４２には、端子板４３〜４６を支持する底部４１ｂ，４２ｂよりも制御基板４０からの高さ寸法が一段高い天板部４１ａ，４２ａが設けられている。このため、両天板部４１ａ，４２ａの下方には、例えばコンデンサやトランス等のより高さ寸法の大きな電子部品を配置することが可能になり、この点で制御基板４０の実装部品レイアウト上の自由度を高めることができる。
【００３７】
例示した実施形態には種々変更を加えることができる。例えば、４つの端子板４３〜４６を２つのグループに分けてそれぞれ１つの端子受け台４１，４２により支持する構成を例示したが、４つの端子板４３〜４６を１つの端子受け台により支持する構成としてもよい。この場合には、１つの排水路及び１つの排水口により４つの端子板４３〜４６全てについて水抜き機能を持たせることができる。
また、排水路４１ｃ，４２ｃ及び排水口４１ｄ，４２ｄについては、各端子板４３〜４６について個別に設ける構成としてもよい。さらに、排水路４１ｃ，４２ｃ及び排水口４１ｄ，４２ｄは省略することもできる。
また、端子受け台４１，４２の天板部４１ａ，４２ａは省略してもよい。
【００３８】
以上の構成は、以下の第１７〜第１９関連発明として把握することができる。
第１７の関連発明は、複数のバッテリパックを同時に装着して充電可能な多口タイプの充電器であって、複数のバッテリパックが接続される複数の端子板を共通の端子受け台を介して本体ハウジングに支持した充電器である。
第１７の関連発明によれば、複数の端子板について個別の端子受け台を用いて支持した構成に比して共通部品を多くして本体ハウジング内のスペースを有効活用することができ、また制御基板の実装面積を大きく確保しやすくなる。
例えば、４つ口タイプの充電器の場合、４つの端子板を２つずつにグループ化して、２つの端子板を１つの端子受け台に支持することにより、端子受け台を２つで済ますことができる。こうして共用部品化した端子受け台に例えば１つの排水路を設けることにより２つの端子板について排水路を機能させることができる。４つの端子板を１つの端子受け台で支持する構成としてもよい。
第１８の関連発明は、第１７の関連発明において、端子受け台に、複数の端子板について共通の排水路を設けた充電器である。
第１８の関連発明によれば、複数の端子板について共通の端子受け台を用いることにより、各別の端子受け台を用いる構成に比して本体ハウジング内のスペースを有効活用することができ、また制御基板の実装面積を大きく確保することができる。
第１９の関連発明は、第１７又は第１８の関連発明において、複数の端子板の間において端子受け台を上方へ屈曲させて高さ寸法を端子板の取り付け部よりも高くした充電器である。
第１９の関連発明によれば、端子受け台の下方に制御基板が配置されている場合には、複数端子板間の下方について、制御基板により高さ寸法の大きなトランス等の部品を配置することができ、この点で制御基板の実装部品レイアウトの制約を少なくすることができる。
【００３９】
次に、図１〜図５に示すように充電器１０の上面であって本体ハウジング２０の上分割ハウジング２１には、左右端部の幅狭の天板部１５，１６と、中央３箇所の幅広の天板部１７〜１９が設けられている。左端の第１天板部１５と中央左側の第２天板部１７との間に第１バッテリ取り付け部１１が配置されている。第２天板部１７と中央の第３天板部１８との間に第２バッテリ取り付け部１２が配置されている。第３天板部１８と中央右側の第４天板部１９との間に第３バッテリ取り付け部１３が配置されている。第４天板部１９と右端の第５天板部１６との間に第４バッテリ取り付け部１４が配置されている。
各天板部１５〜１９は同じ高さ位置に設定されており、各バッテリ取り付け部１１〜１４の端子カバー１１ｃ〜１４ｃよりも高い位置に設定されている。また、各バッテリ取り付け部１１〜１４の受けレール部１１ａ，１１ａ〜１４ａ，１４ａは、各天板部１５〜１９の上面に沿って対向内側へ張り出す状態に設けられている。
このように第１〜第４バッテリ取り付け部１１〜１４がぞれぞれ左右両側に位置する第１〜第５天板部１５〜１９よりも低い領域に配置されていることから、例えば充電器１０を過って床上に落下させてしまった場合や、作業台上に設置した充電器１０上に電動工具等の他物品を過って置いてしまった場合等にも各バッテリ取り付け部１１〜１４が直接床面に衝突することがなく、また各バッテリ取り付け部１１〜１４に他物品が直接接触若しくは衝突することがないので、当該各バッテリ取り付け部１１〜１４の損傷を未然に回避することができる。このことから、第１〜第５天板部１５〜１９は、各バッテリ取り付け部１１〜１４のサイドガード部として機能させることができる。
【００４０】
図１、図５、図１３及び図１７に示すように第１〜第５天板部１５〜１９は、それぞれ本体ハウジング２０の上面に沿って前後方向に延びている。第１〜第５天板部１５〜１９の正面側にはより大きな角度で正面側へ下る方向に傾斜する傾斜面が設けられている。中央左右の第２天板部１７と第４天板部１９の傾斜面１７ａ，１９ａには、第１〜第４バッテリ取り付け部１１〜１４の動作状態を報知するための動作表示部５１，５２が設けられている。第１バッテリ取り付け部１１と第２バッテリ取り付け部１２との間に、左側の第１動作表示部５１が配置され、第３バッテリ取り付け部１３と第４バッテリ取り付け部１４との間に右側の第２動作表示部５２が配置されている。左側の第１動作表示部５１には、第１バッテリ取り付け部１１と第２バッテリ取り付け部１２の動作を表示するＬＥＤ５１ａ，５１ｂがまとめて配置されている。右側の第２動作表示部５２には、第３バッテリ取り付け部１３と第４バッテリ取り付け部１４の動作を表示するＬＥＤ５２ａ，５２ｂがまとめて配置されている。
両動作表示部５１，５２はそれぞれ４つのＬＥＤが配置されている。第１動作表示部５１において、左側の上下２つのＬＥＤによって第１バッテリ取り付け部１１の動作状態が表示され、右側の上下２つのＬＥＤによって第２バッテリ取り付け部１２の動作状態が表示される。また、第２動作表示部５２において、左側の上下２つのＬＥＤによって第３バッテリ取り付け部１３の動作状態が表示され、右側の上下２つのＬＥＤによって第４バッテリ取り付け部１４の動作状態が表示される。両動作表示部５１，５２において、上側に緑色のＬＥＤ５１ａが配置され、下側に赤色のＬＥＤ５１ｂが配置されている。上下２つのＬＥＤ５１ａ，５１ｂ，５２ａ，５２ｂの点滅、点灯、消灯の組み合わせにより、各バッテリ取り付け部１１〜１４の「充電中」、「充電完了」等の情報が報知される。
このように、第１〜第４バッテリ取り付け部１１〜１４の動作をＬＥＤ表示する第１、第２動作表示部５１，５２が、使用者が見易い正面の傾斜面１７ａ，１９ａに配置されているので、当該充電器１０を作業台上に設置した場合、あるいは壁掛け状態に設置した場合のいずれであってもバッテリパックＢの充電状態を容易に視認することができる。
また、第１及び第２バッテリ取り付け部１１，１２の動作状態が１つの第１動作表示部５１にまとめられて表示され、第３及び第４バッテリ取り付け部１３，１４の動作状態が１つの第２動作表示部５２にまとめられて表示される。このため、各バッテリ取り付け部１１〜１４について個別に動作表示部を設定した場合に比して、より少ないスペースで多くの情報を報知することができる。
【００４１】
以上のように構成した本実施形態の充電器１０によれば、本体ハウジング２０の底面２７に設けた左右一対の引き掛け部（だるま孔）２７ｅ，２７ｅに壁面Ｗ側の係合凸部２８，２８を引き掛け、さらに左右一対の固定孔３０，３０に固定ねじ２９，２９を締め込んで当該本体ハウジング２０ひいては充電器１０を壁面Ｗに壁掛け状態で設置することができる。このため、単にだるま孔を用いた従来の引き掛け状態に比して充電器１０をより安定した壁掛け姿勢で設置することができることから、例えば当該壁掛け状態の充電器１０に人が不用意に触れる等した場合であっても位置ずれすることがない。
また、壁面Ｗに完全に固定された状態で設置されているので、当該充電器１０のバッテリ取り付け部１１〜１４に対してバッテリパックＢを取り付け、取り外しする際にも使用者は片手で操作することができ、この点で当該充電器１０の壁掛け設置状態での取り扱い性を高めることができる。
しかも、例示した充電器１０によれば、本体ハウジング２０の平面視側面領域Ｓからはみ出さない位置に設けた下凹部２６の底部（底縁部２６ａ）に固定孔３０が設けられていることから、当該底縁部２６ａの強度が高められて損傷を受けにくい構成となっている。このため、当該底縁部２６ａ，２６ａの薄肉化を図って必要な固定ねじ２９，２９の長さを短くすることができる。また、上分割ハウジング２１側ではなく下分割ハウジング２２側の固定孔３０，３０を介してねじ止めする構成であるので、この点でも短い固定ねじ２９，２９で本体ハウジング２０を壁面Ｗに確実かつ強固に固定することができる。
さらに、固定孔３０，３０が設けられた下凹部２６，２６の底縁部２６ａ，２６ａの上方に上凹部２５，２５の底縁部２５ａ，２５ａが覆い被さるように配置されていることから、より一層下凹部２６，２６の底縁部２６ａ，２６ａについて損傷を受けにくい構成とすることができる。
また、上凹部２５，２５の底縁部２５ａ，２５ａに、固定孔３０，３０と同軸の貫通孔（ストラップ取り付け孔３１，３１）が設けられており、この貫通孔を、ドライバ（ねじ回し）Ｄを挿通させる作業孔として用いることにより固定孔３０，３０に対する固定ねじ２９，２９の締め込み作業を迅速かつ楽に行うことができ、この点で当該充電器１０の設置の作業性を高めることができる。
また、上分割ハウジング２１にストラップ取り付け孔３１，３１（貫通孔）が設けられ、下分割ハウジング２２に固定孔３０，３０が設けられた構成であるので、これを樹脂成形により製作する場合に、成形金型の簡素化を図ることができ、ひいては当該充電器１０の製作コストの低減を図ることができる。
【００４２】
例示した実施形態には種々変更を加えることができる。例えば、本体ハウジング２０の背面側に上下凹部２５，２５，２６，２６を設けて、底縁部２６ａ，２６ａに固定孔３０，３０を設ける構成を例示したが、同様の構成を本体ハウジング２０の左右側部に設ける構成としてもよい。
また、正面側の引き掛け部２７ｅ，２７ｅに代えて同じく固定ねじ締め付け用の固定孔を設ける構成としてもよく、あるいは引き掛け部２７ｅ，２７ｅを省略して、背面側の固定孔３０，３０のみに固定ねじ２９，２９を締め込んで壁掛け状態に固定する構成としてもよい。
また、上凹部２５，２５の底縁部２５ａ，２５ａを省略して、下凹部２６，２６が本体ハウジング２０の上面に開放された構成としてもよい。
さらに、４口タイプの充電器１０を例示したが、１口タイプあるいは２口、３口、５口以上のバッテリ取り付け部を備える充電器についても同様に適用することができる。
【００４３】
以上例示した壁掛け構造は、壁に対してねじ止めすることにより単にだるま孔を用いた引き掛け状態よりも安定した壁掛け姿勢で設置できる構成となっている。これに対して、以下説明する第２実施形態に係る壁掛け構造ではねじ止め用の固定孔を省略してだるま孔を用いた引き掛け構造を備えており、係る第２実施形態によっても同様の作用効果を得ることができる。
図２５〜図２７は、第２実施形態に係る壁掛け構造を示している。変更を要しない部位及び構成については同位の符号を用いてその説明を省略する。本体ハウジング２０の底面２７の四隅には、引き掛け部３５，３５と規制部３６，３６が設けられている。背面側左右一対の引き掛け部３５，３５には、それぞれだるま孔形状の引き掛け凹部３５ａが設けられている。正面側左右一対の規制部３６，３６は、それぞれ壁面Ｗ側に張り出す壁部で、その基部側には逃がし凹部３６ａが設けられている。逃がし凹部３６ａ，３６ａは、それぞれ規制部３６の背面側に設けられている。この規制部３６，３６は、合成樹脂製の本体ハウジングの底面２７に一体に成形されている。
当該充電器１０が設置される壁面Ｗには、背面側の引き掛け部３５，３５に対応する引き掛け凸部３７，３７が設けられている。また、左右の引き掛け凸部３７，３７の下方に、左右一対の規制部３６，３６に対応して係合凸部３８，３８が設けられている。
充電器１０を壁面Ｗに壁掛け状態で設置するには、先ず図２５に示すように上側の引き掛け凹部３５ａ，３５ａにそれぞれ引き掛け凸部３７を挿入させる。この際、図示するように充電器１０の正面側を壁面Ｗから浮かせて、正面側の規制部３６，３６が係合凸部３８，３８に干渉しないよう傾かせた斜め姿勢に保持して、上側の引き掛け凸部３７，３７を引き掛け凹部３５ａ，３５ａ内に挿入する。その後、図２６に示すように充電器１０を下方へずらせて、引き掛け凸部３７，３７をそれぞれ引き掛け凹部３５ａに引き掛けた状態とする。充電器１０を下方へずらすことにより、正面側の規制部３６，３６は、下側の係合凸部３８，３８の前側（下側）に変位する。
図２６に示すように充電器１０を下側へずらせて下側の規制部３６，３６が係合凸部３８，３８の前側に変位した状態で、図２７に示すように充電器１０の正面側を壁面Ｗ側に接近させて規制部３６，３６を壁面Ｗに当接させれば、当該充電器１０の壁面Ｗへの設置が完了する。正面側の規制部３６，３６は、それぞれ係合凸部３８，３８の前側（下側）において、壁面Ｗに当接される。
この設置状態では、上側の引き掛け部３５，３５が壁面Ｗに当接され、だるま孔形状の引き掛け凹部３５ａ，３５ａ内にそれぞれ引き掛け凸部３７が挿入された状態となる。これにより、充電器１０は、下方への変位、左右への変位及び壁面Ｗから離脱する方向の変位が規制された状態となっている。また、図２７に示す設置状態では、正面側の規制部３６，３６が下側の係合凸部３８，３８の下側に位置してストッパとして機能することにより、当該充電器１０の上方への変位が規制された状態となっている。
しかも、両規制部３６，３６の背面（壁掛け設置状態で上面）３６ｂ，３６ｂは、それぞれ壁掛け設置状態において壁面Ｗに対して直角となるように成形されて、係合凸部３８，３８に対する確実な係合状態が得られるようになっている。
このように第２実施形態の壁掛け構造によれば、充電器１０は、上下両方向（バッテリパックＢの取り付け、取り外し方向）の位置ずれが規制された状態で壁面Ｗに設置された状態となる。このことから、壁掛け状態の充電器１０の第１〜第４バッテリ取り付け部１１〜１４に対してバッテリパックＢを下方へ向けてスライドさせて取り付ける場合に、使用者は充電器１０が下方へ変位しないよう手で押さえ付けておく必要はなく、片手でバッテリパックＢを把持してスライドさせればバッテリ取り付け部１１〜１４に対して迅速かつ簡単に取り付けることができる。また、逆にバッテリ取り付け部１１〜１４からバッテリパックＢを取り外す際にも、使用者は片手でバッテリパックＢを把持して上方へスライドさせれば足り、充電器１０自体を変位しないよう押さえ付けておく必要がなく、この点で当該充電器１０の取り扱い性（操作性）を高めることができる。
また、上記例示した第２実施形態の壁掛け構造によっても、充電器１０の上下左右方向及び壁面Ｗから離脱する方向の変位が規制されることから、人が不用意に触れる等した場合であっても位置ずれが確実に防止される。
特に、下側の両規制部３６，３６の背面３６ｂ，３６ｂが当該充電器の取り外し方向（上方）であって壁面Ｗに対して直角に成形されていることから、当該背面３６ｂ，３６ｂの係合凸部３８，３８に対する引っ掛かり状態がより安定して維持される結果、当該充電器１０の取り外し方向への変位が確実に規制されて取り外し作業の便宜が図られている。
これに対して、両規制部３６，３６の背面について、例えば成形型の抜き勾配を考慮してその先端側ほど下方へ変位する方向（凹部３６ａの底部に対して鈍角方向）に傾斜して設けた場合には、当該充電器１０の取り外し方向（壁掛け設置状態で上方）への変位が許容されやすくなって係合凸部３８に対する引っ掛かり状態が安定しなくなるため、片手でバッテリパックＢを把持してバッテリ取り付け部１１〜１４から取り外す際にもう一方の手で充電器１０自体を変位しないよう押さえ付けておく必要が生じ、この点で当該充電器１０の使い勝手が低下してしまう。
このことから、両規制部３６，３６の背面３６ｂ，３６ｂの角度について、例示したように壁面Ｗに対して直角に成形する構成のほか、その先端側ほど上方へ変位する鋭角方向に傾斜させて成形することがより好ましい。
【図１】
2013190955.tif 000003
【図２】
2013190955.tif 000004
【図３】
2013190955.tif 000005
【図４】
2013190955.tif 000006
【図５】
2013190955.tif 000007
【図６】
2013190955.tif 000008
【図７】
2013190955.tif 000009
【図８】
2013190955.tif 000010
【図９】
2013190955.tif 000011
【図１０】
2013190955.tif 000012
【図１１】
2013190955.tif 000013
【図１２】
2013190955.tif 000014
【図１３】
2013190955.tif 000015
【図１４】
2013190955.tif 000016
【図１５】
2013190955.tif 000017
【図１６】
2013190955.tif 000018
【図１７】
2013190955.tif 000019
【図１８】
2013190955.tif 000020
【図１９】
2013190955.tif 000021
【図２０】
2013190955.tif 000022
【図２１】
2013190955.tif 000023
【図２２】
2013190955.tif 000024
【図２３】
2013190955.tif 000025
【図２４】
2013190955.tif 000026
【図２５】
2013190955.tif 000027
【図２６】
2013190955.tif 000028
【図２７】
2013190955.tif 000029
【国際調査報告】
2013190955.tif 000030
2013190955.tif 000031
2013190955.tif 000032
2013190955.tif 000033